(57)【要約】【課題】エアコンに簡単に取り付けられ、かつ、安定した状態で洗濯物を干せる洗濯物干し具を提供する。【解決手段】壁５に取り付けられたエアコン６に設置される洗濯物干し具１であって、壁５に沿って設けられる垂辺２１と、壁５に対して垂直に設けられる底辺２２と、垂辺２１と底辺２２とを繋ぐ斜辺２３とを少なくとも有し、エアコン６の両側面６１に設けられる、略直角三角形状の一対のブラケット２と、一対のブラケット２に橋渡しされ、一対のブラケット２の間隔を固定する物干し竿３と、一対のブラケット２左右位置をエアコン６の上で固定する引張ゴム４とを備え、ブラケット２には、エアコン６の上面６２に掛かる第１掛け部と、エアコン６の後面に掛かる第２掛け部とが設けられ、底辺２２には、物干し竿３を支持する支持部２４が形成されていることを特徴とする。【選択図】図１
2011041796.tif 000002
【特許請求の範囲】
【請求項１】
壁に取り付けられたエアコンに設置される洗濯物干し具であって、
前記壁に沿って設けられる垂辺と、前記壁に対して垂直に設けられる底辺と、前記垂辺と前記底辺とを繋ぐ斜辺とを少なくとも有し、前記エアコンの両側面に設けられる、略直角三角形状の一対のブラケットと、
前記一対のブラケットに橋渡しされ、前記一対のブラケットの間隔を固定する物干し竿と、
前記一対のブラケットの左右位置を前記エアコンの上で固定する固定部材とを備え、
前記ブラケットには、前記エアコンの上面に掛かる第１掛け部と、前記エアコンの後面に掛かる第２掛け部とが設けられ、
前記底辺には、前記物干し竿を支持する支持部が形成されていることを特徴とする洗濯物干し具。
【請求項２】
前記垂辺は、前記エアコンの側面から引き出される冷媒管を避けるため、部分的に内側に膨らむように屈曲した屈曲部を有することを特徴とする請求項１に記載の洗濯物干し具。
【請求項３】
前記底辺は、前記斜辺から突出し、当該突出した所に前記支持部が形成されていることを特徴とする請求項１または請求項２に記載の洗濯物干し具。
【請求項４】
前記底辺の上側には、複数の前記支持部が設けられていることを特徴とする請求項１から請求項３のいずれか１項に記載の洗濯物干し具。
【請求項５】
前記物干し竿は、長手方向に伸縮させて長さを固定可能であることを特徴とする請求項１から請求項４のいずれか１項に記載の洗濯物干し具。
【請求項６】
前記固定部材は、前記エアコンの上で前記一対のブラケットの上部を互いに引き寄せる弾性部材であり、
前記一対のブラケットに、前記弾性部材を係合する係合部が設けられていることを特徴とする請求項１から請求項５のいずれか１項に記載の洗濯物干し具。
【請求項７】
前記固定部材は、面ファスナであることを特徴とする請求項１から請求項５のいずれか１項に記載の洗濯物干し具。
【請求項８】
前記固定部材は、前記エアコンの上で、前記一対のブラケットに橋渡しされ、前記一対のブラケットの間隔を固定する、長さ調節が可能な棒であることを特徴とする請求項１から請求項５のいずれか１項に記載の洗濯物干し具。
【発明の詳細な説明】
【技術分野】
【０００１】
本発明は、室内の壁掛けエアコンに取り付けて使用する、洗濯物干し具に関する。
【背景技術】
【０００２】
室内で洗濯物を干すと、風の通りがなく乾きにくいため、従来より、エアコンの風を利用して洗濯物を乾燥させる方法が考えられてきた。例えば、直接エアコン室内機に取り付けられ、エアコンの送風口の前方に物干し竿を保持することができる支持具を有する洗濯物干し具が知られている。
【０００３】
具体的には、特許文献１に開示されている洗濯物干し具は、コ字状の支持具が固定ねじによってエアコンの上面と側面に固定され、この支持具から斜め前方に垂れ下がるようにコ字状の物干し竿がねじ止めされている。
【０００４】
特許文献２に開示されている洗濯物干し具は、支持具が吸着盤によってエアコンの側面に固定され、この支持具には、送風口の前方に延び、物干し竿を支持する支持部が設けられている。
【０００５】
また、特許文献３に開示されている洗濯物干し具は、エアコンの両側面に設けられる一対のアームと、この一対のアームをエアコンの上で連結する棒とから構成される支持具を有している。そして、各アームは、壁際からエアコンの送風口前方に向かって延び、その先端に物干し竿が掛けられている。
【０００６】
特許文献４に開示されている洗濯物干し具は、エアコンの送風口の前方に設けられる物干し竿が、物干し竿の両端部から壁に向かって斜め上方向に延びる一対の傾斜棒と、物干し竿の両端部から壁に向かって延びる一対の突っ張り棒によって支持されている。そして、一対の傾斜棒は、エアコンの上に渡されている棒によって連結されている。また、傾斜棒と突っ張り棒は、互いに回動することで折り畳み可能となっている。
【先行技術文献】
【特許文献】
【０００７】
【特許文献１】実開昭６４−４０４９７号公報
【特許文献２】実開平７−２４２９７号公報
【特許文献３】実開平７−２０１９５号公報
【特許文献４】特開平１１−９９２９７号公報
【発明の概要】
【発明が解決しようとする課題】
【０００８】
しかしながら、特許文献１で開示されている洗濯物干し具のように、固定ねじでエアコンに支持具が固定された場合、エアコンに傷ができるという問題があった。また、特許文献２で開示されている洗濯物干し具のように、吸着盤でエアコンに支持具が固定された場合、洗濯物の重みによって吸着盤が外れてしまうことがあった。
【０００９】
また、特許文献２や特許文献３で開示されている洗濯物干し具のように、物干し竿を支持する支持部が、支持具から前方に長く延びるように設けられていると、物干し竿に洗濯物が掛けられた際に、洗濯物の重みによって支持部が揺動し不安定であった。
【００１０】
特許文献４で開示されている洗濯物干し具は、物干し竿に洗濯物が掛けられた際に、突っ張り棒がずれ、洗濯物が落ちてしまうことがあった。また、突っ張り棒を正しい位置に設置しなければならなかったので、取り付けが難しかった。
【００１１】
そこで、本発明は、エアコンに簡単に取り付けられ、かつ、安定した状態で洗濯物を干せる洗濯物干し具を提供することを目的とする。
【課題を解決するための手段】
【００１２】
前記した目的を達成するため、本発明の洗濯物干し具は、壁に取り付けられたエアコンに設置される洗濯物干し具であって、前記壁に沿って設けられる垂辺と、前記壁に対して垂直に設けられる底辺と、前記垂辺と前記底辺とを繋ぐ斜辺とを少なくとも有し、前記エアコンの両側面に設けられる、略直角三角形状の一対のブラケットと、前記一対のブラケットに橋渡しされ、前記一対のブラケットの間隔を固定する物干し竿と、前記一対のブラケットの左右位置を前記エアコンの上で固定する固定部材とを備え、前記ブラケットには、前記エアコンの上面に掛かる第１掛け部と、前記エアコンの後面に掛かる第２掛け部とが設けられ、前記底辺には、前記物干し竿を支持する支持部が形成されていることを特徴とする。
【００１３】
このように構成された洗濯物干し具は、ユーザが、ブラケットをエアコンに掛け、固定部材と物干し竿を取り付けるだけで、簡単に設置することができる。また、ブラケットが略直角三角形状であるため、物干し竿に洗濯物を掛けられても、安定した状態を保つことができる。
【００１４】
そして、本発明は、前記垂辺が、前記エアコンの側面から引き出される冷媒管を避けるため、部分的に内側に膨らむように屈曲した屈曲部を有することが望ましい。
このように構成された洗濯物干し具によれば、冷媒管を避けつつ、垂辺により、斜辺と底辺の端部間距離を固定し、ブラケットの剛性を保つことができる。
【００１５】
また、本発明は、前記底辺が、前記斜辺から突出し、当該突出した所に前記支持部が形成されている構成とすることができる。
【００１６】
このように、底辺の突出した所に物干し竿の支持部が設けられていると、物干し竿とエアコンの送風口の間に適度な間隔ができ、送風口に取り付けられているフラップが物干し竿に当たるのを防ぐことができる。
【００１７】
また、本発明は、底辺の上側に、複数の前記支持部が設けられていてもよい。
このように、複数の支持部が設けられていると、エアコンの大きさに合わせて、物干し竿とエアコンの送風口との距離を適宜変更することができる。また、物干し竿を取り付けていない支持部には、洗濯ばさみやハンガーなどを掛けることができる。
【００１８】
そして、本発明は、前記物干し竿が、長手方向に伸縮させて長さを固定可能であることが望ましい。
このように長さ調節の可能な物干し竿によれば、エアコンの大きさに合わせて物干し竿の長さを変えることで、ブラケットをエアコンの側面に密着させることができる。
【００１９】
また、本発明は、前記固定部材が、前記エアコンの上で前記一対のブラケットの上部を互いに引き寄せる弾性部材であり、前記一対のブラケットに、前記弾性部材が係合する係合部が設けられている構成とすることができる。
【００２０】
このように構成された洗濯物干し具によれば、弾性部材の引っ張り力によってブラケットがエアコンの側面に固定されるため、ブラケットがエアコンの両側面にしっかりと保持される。
【００２１】
本発明は、前記固定部材が、面ファスナであってもよい。
【００２２】
このように、面ファスナが設けられていることによって、エアコンの大きさに関わらず、ユーザがブラケットを、エアコンの側面に簡単に取り付けることができる。
【００２３】
また、本発明は、前記固定部材が、前記エアコンの上で、前記一対のブラケットに橋渡しされ、前記一対のブラケットの間隔を固定する、長さ調節が可能な棒であってもよい。
【００２４】
このように固定部材として、長さ調節可能な棒を用いることにより、エアコンの大きさに合わせて長さを調節することができる。また、長期間使用しても劣化しない。
【発明の効果】
【００２５】
本発明によれば、洗濯物干し具をエアコンに簡単に取り付けることができ、安定した状態を保ちながら、エアコンの送風口の前方で洗濯物を干すことができる。
【図面の簡単な説明】
【００２６】
【図１】本発明の一実施形態に係る洗濯物干し具をエアコンに取り付けた状態を示す図である。
【図２】本発明の一実施形態に係る洗濯物干し具の分解斜視図（ａ）と、ブラケットの一部を示した図（ｂ）である。
【図３】本発明の一実施形態に係る洗濯物干し具を取り付けたエアコン示す側面図である。
【図４】本発明の一実施形態に係る物干し竿の断面図である。
【図５】変形例におけるブラケットの一部を示した図である。
【発明を実施するための形態】
【００２７】
次に、本発明の一実施形態について、適宜図面を参照しながら詳細に説明する。
洗濯物干し具１は、図１に示すように、壁５に設けられているエアコン６に取り付けて使用され、エアコン６の送風口６６の前方に配置される物干し竿３と、物干し竿３を支持し、エアコン６に取り付けられる一対のブラケット２と、一対のブラケット２を連結する弾性部材の一例である引張ゴム４とを備えている。
【００２８】
一対のブラケット２は、エアコン６の両側面６１に添えられる板状の枠体であり、壁５に沿って設けられる垂辺２１と、壁５に対して垂直に設けられる底辺２２と、垂辺２１と底辺２２を繋ぐ斜辺２３とを主に有している。
【００２９】
底辺２２は、エアコン６の下方に位置し、壁際からエアコン６の前方まで水平に延びる枠辺であり、斜辺２３からさらに前方に延びる突出部２２Ａを有している。底辺２２の上側には、円弧状に凹んだ、後述する物干し竿３を支持する複数の支持部２４が形成されている。
【００３０】
このように支持部２４が複数設けられているため、エアコン６の大きさに合わせて、物干し竿３を掛ける位置を変えることができる。なお、物干し竿３は、エアコン６の送風口６６から適度な距離をとるために、底辺２２の突出部２２Ａに形成されている支持部２４Ａに支持されるのが望ましい。これにより、物干し竿３に掛けられた洗濯物全体に風が当たりやすくなり、また、送風口６６にフラップが取り付けられていた場合に、物干し竿３にフラップがぶつかるのを防ぐことができる。
【００３１】
垂辺２１は、壁５に沿うようにして設けられている枠辺であり、底辺２２の壁側の端部からエアコン６の上部まで延びている（図３参照）。また、垂辺２１は、上下方向の略中央に、エアコン６の側面６１から引き出される冷媒管６３を避けるようにして、前方（内側）に向かって円弧状に膨らむように屈曲した屈曲部２１Ａを有している。
【００３２】
斜辺２３は、底辺２２の前端部から垂辺２１の上端部に向かって、斜め上方向に延びる枠辺であり、斜辺２３の中央付近からは、垂辺２１の屈曲部２１Ａと斜辺２３を接続する接続部２５が延びている。このように、斜辺２３と屈曲部２１Ａ（垂辺２１）が接続部２５で接続されているので、ブラケット２がより撓みにくくなっている。
【００３３】
また、図２（ｂ）に示すように、ブラケット２は上部（垂辺２１の上端部）に、第１掛け部２６と、第２掛け部２７とを有している。
【００３４】
第１掛け部２６は、垂辺２１の上端部から水平方向内側に向かって延びる平板であり、図３に示すように、エアコン６の上面６２に掛けられ、ブラケット２の上下方向の位置を決めている。この第１掛け部２６は、エアコン６の上面６２に設けられている吸気口６７（図１参照）に掛からない程度の大きさを有していることが望ましい。
【００３５】
そして、第１掛け部２６の上面には、係合部２８が設けられている。係合部２８は、後述する引張ゴム４が掛けられる円柱部２８Ａと、円柱部２８Ａより拡径した球形の係止部２８Ｂとから形成されている。
【００３６】
第２掛け部２７は、第１掛け部２６の後縁と垂辺２１を繋ぐように設けられる四角形状を有した平板であり（図２（ｂ）参照）、図３に示すように、エアコン６の後面６４に引っかけられる。具体的には、エアコン６を壁５に取り付けるための取り付け具６５の厚みによってできた、エアコン６の後面６４と壁５の隙間に、第２掛け部２７が挿入されて、後面６４に引っかかる。第２掛け部２７がこのように配置されることにより、洗濯物の重みで、ブラケット２が前方に移動するのが規制される。
【００３７】
以上のように構成された一対のブラケット２をエアコン６に固定するために、図１に示すように、一対のブラケット２の間に引張ゴム４と物干し竿３が設置される。
【００３８】
引張ゴム４は、エアコン６の左右方向の長さよりも短く、図２（ａ）に示すように、両端部に輪４Ａを有している。この引張ゴム４は、エアコン６の上で左右に渡され、二つの輪４Ａが、係合部２８の円柱部２８Ａに掛けられる。また、係止部２８Ｂが、円柱部２８Ａよりも大きな径を有しているため、引張ゴム４は、係合部２８から外れにくくなっている。このように引張ゴム４を一対のブラケット２の間に設けることで、ブラケット２がエアコン６の側面６１に引き寄せられるので、ブラケット２をエアコン６の側面６１に密着させることができる。
【００３９】
物干し竿３は、図１に示すように、竿３１と、物干し竿３の長さを調節する長さ調節部３２と、竿３１の両末端に設けられるフランジ部材３３とから構成されている。
【００４０】
竿３１は、径の異なる二本の円筒体から形成されており、長さ調節部３２によって接続されている。ユーザは、この長さ調節部３２を緩めたり締めたりすることで、エアコン６の左右方向の大きさによって、物干し竿３の長さを変えたり、固定したりすることができる。
【００４１】
フランジ部材３３は、図４に示すように、円筒体の竿３１の内部に嵌入されており、竿３１の外部に設けられる部分は、ブラケット２の厚みに対応する間隔で２つのフランジ３３Ａを有してＨ字状に形成されている。このフランジ３３Ａの間にブラケット２の支持部２４を挟むようにして、フランジ部材３３が支持部２４に嵌り、これにより物干し竿３が一対のブラケット２に掛けられている。
【００４２】
＜洗濯物干し具の使用方法＞
次に、洗濯物干し具１の使用方法について説明する。
洗濯物干し具１を使用するときには、まず、一対のブラケット２をエアコン６の両側面６１に配置し、第１掛け部２６をエアコン６の上面６２に掛けると共に、第２掛け部２７をエアコン６の後面６４と壁５の隙間に挿入する。次に、引張ゴム４の二つの輪４Ａを一対のブラケット２の係合部２８に掛ける。そして、長さを調節した物干し竿３を、一対のブラケット２の支持部２４に掛ける。このようにしてエアコン６に設置された物干し竿３に洗濯物を干し、エアコン６を始動させると、エアコン６の風を利用して、洗濯物を乾かすことができる。
【００４３】
以上のように構成された洗濯物干し具１の作用効果を説明する。
洗濯物干し具１は、一対のブラケット２に第１掛け部２６と第２掛け部２７が設けられ、この一対のブラケット２が引張ゴム４と物干し竿３で連結されて構成されるので、ユーザが、ブラケット２をエアコン６に掛け、引張ゴム４と物干し竿３を取り付けるだけで、簡単に設置することができる。また、ブラケット２が略直角三角形状であるため、物干し竿３に洗濯物を掛けられても、安定した状態を保つことができる。
【００４４】
また、垂辺２１に、前方に屈曲した屈曲部２１Ａを設けることによって、冷媒管６３を避けつつ、垂辺２１により、斜辺２３と底辺２２の端部間距離を固定し、ブラケット２の剛性を保つことができる。
【００４５】
また、底辺２２の突出した所に物干し竿３の支持部２４Ａが設けられていると、物干し竿３とエアコン６の送風口６６の間に適度な間隔ができ、送風口６６に取り付けられているフラップが物干し竿３に当たるのを防ぐことができる。
【００４６】
底辺２２に、複数の支持部２４が設けられているため、エアコン６の大きさによって、物干し竿３とエアコン６の送風口６６との距離を適宜変更することができる。また、物干し竿３を取り付けていない支持部２４には、洗濯ばさみやハンガーなどを掛けることができる。
【００４７】
そして、物干し竿３は長さ調節が可能であるため、エアコン６の大きさに合わせて物干し竿３の長さを変えることができ、ブラケット２をエアコン６の側面６１に密着させることができる。
【００４８】
また、一対のブラケット２を引張ゴム４で連結することにより、引張ゴム４の引っ張り力によってブラケット２がエアコン６の側面６１に固定されるため、ブラケット２がエアコン６の両側面６１にしっかりと保持される。
【００４９】
以上、本発明の実施形態について説明したが、本発明は前記実施形態に限定されるものではない。具体的な構成については、本発明の趣旨を逸脱しない範囲で適宜変更が可能である。
【００５０】
前記実施形態では、ブラケット２をエアコン６の側面６１に固定するために、引張ゴム４を利用していたが、本発明はこれに限定されるものではない。例えば、ブラケット２をエアコン６の側面６１に固定するために面ファスナ７１を用いてもよい。具体的には、図５に示すように、ブラケット２の第１掛け部２６の下面と、エアコン６の上面６２に、一対の雄雌の面ファスナ７１がそれぞれ貼り付けられており、これらを互いに密着させることによって、ブラケット２がエアコン６に固定される。このように、面ファスナ７１が設けられていることによって、エアコン６の大きさに関わらず、ユーザがブラケット２を、エアコン６の側面６１に簡単に取り付けることができる。
【００５１】
また、引張ゴム４ではなく、スプリングであってもよい。さらに、引張ゴム４やスプリング等の弾性部材ではなく、エアコン６の上で、物干し竿３と同様な構成の一対のブラケット２に橋渡しされる長さ調節が可能な棒を用いてもよい。長さ調節可能な棒を用いてブラケット２を連結することにより、エアコン６の大きさに合わせて長さを調節することができる。また、長期間使用しても劣化しない。
【００５２】
前記実施形態では、引張ゴム４をエアコン６の上にのみ設けていたが、本発明はこれに限定されるものではない。例えば、斜辺２３に新たに係合部を設け、この係合部に引張ゴム４をさらに設けてもよい。このように引張ゴム４を複数設けることにより、物干し竿３を取り外しても、ブラケット２がエアコン６から外れないようにすることができる。
【符号の説明】
【００５３】
１      洗濯物干し具
２      ブラケット
３      物干し竿
４      引張ゴム
６      エアコン
２１    垂辺
２２    底辺
２３    斜辺
２４    支持部
２６    第１掛け部
２７    第２掛け部
２８    係合部
６６    送風口
【図１】
2011041796.tif 000003
【図２】
2011041796.tif 000004
【図３】
2011041796.tif 000005
【図４】
2011041796.tif 000006
【図５】
2011041796.tif 000007